(57)【要約】【課題】化粧料と化粧用道具とを収容した際に、保護シート部により化粧料又は化粧用道具を保護することができるとともに、保護シート部の落下や紛失を防止することができ、また化粧料や化粧用道具を容易に使用することができるトレー容器を提供する。【解決手段】化粧用道具２０を収容する道具収容部２と化粧料３０を収容する化粧料収容部３とを有する本体部４と、本体部４の上端部に連接され、化粧料収容部３及び道具収容部２の何れか一方又は両方の上面２ａ，３ａを覆う保護シート部５とを備えるトレー容器１であって、道具収容部２、化粧料収容部３及び保護シート部５が、一体に形成されており、道具収容部２の深さＤ２と化粧料収容部３の深さＤ３とが異なる。【選択図】図３
2020103635.tif 000002
【特許請求の範囲】
【請求項１】
化粧用道具を収容する道具収容部と化粧料を収容する化粧料収容部とを有する本体部と、前記本体部の上端部に連接され、前記化粧料収容部及び前記道具収容部の何れか一方又は両方の上面を覆う保護シート部とを備えるトレー容器であって、
前記道具収容部、前記化粧料収容部及び前記保護シート部が、一体に形成されており、
前記道具収容部の深さと前記化粧料収容部の深さとが異なる、トレー容器。
【請求項２】
前記道具収容部の上面と前記化粧料収容部の上面とは、同一平面上に位置している、請求項１に記載のトレー容器。
【請求項３】
前記道具収容部の底壁部の下面の位置と前記化粧料収容部の底壁部の下面の位置との間に高低差を有する、請求項１又は２に記載のトレー容器。
【請求項４】
前記化粧料収容部の底壁部の下面の位置が、前記道具収容部の底壁部の下面の位置よりも上方に位置する、請求項１〜３の何れか１項に記載のトレー容器。
【請求項５】
前記道具収容部、前記化粧料収容部及び前記保護シート部は、一枚の合成樹脂製シート材から形成されている、請求項１〜４の何れか１項に記載のトレー容器。
【請求項６】
前記道具収容部、前記化粧料収容部及び前記保護シート部は、前記合成樹脂製シート材の真空成形又は圧空成形により形成されている、請求項５に記載のトレー容器。
【請求項７】
前記トレー容器を収容するトレー収容部を有する容器本体と鏡を有する蓋体とを備える化粧用コンパクト容器における前記トレー収容部に収容される、請求項１〜６の何れか１項に記載のトレー容器。
【請求項８】
トレー容器を収容するトレー収容部を有する容器本体と鏡を有する蓋体とを備える化粧用コンパクト容器であって、
前記トレー収容部に請求項１〜７の何れか１項に記載のトレー容器が収容されている、化粧用コンパクト容器。
【請求項９】
前記トレー収容部に収容されるトレー容器が、請求項３に記載のトレー容器であって、
前記化粧料収容部の底壁部の下面及び前記道具収容部の底壁部の下面のうち高さ位置が高い方と、該トレー収容部の底面との間に隙間を維持する手段が設けられている、請求項８に記載の化粧用コンパクト容器。
【発明の詳細な説明】
【技術分野】
【０００１】
本発明は、化粧料を収容する化粧料収容部を有するトレー容器に関する。
【背景技術】
【０００２】
ファンデーション、チーク、アイシャドウ等の化粧料を収容する化粧用コンパクト容器として、化粧料を収容する化粧用収容部を有する容器本体と、該容器本体に回動自在に取り付けられる蓋体とを備え、化粧料が蓋体、特に蓋体の裏面に配された鏡等に付着したり、容器本体内で化粧料が移染したりすることを防止する保護シートを有するものが知られている（特許文献１〜３参照）。保護シートは、化粧料収容部を被覆することで、化粧料の蓋体等への付着や他の化粧料収容部への移染を防止している。
また化粧料容器の容器本体に収容される中枠に、化粧料が収容される中皿収容凹部と化粧用具が収容される化粧用道具収容凹部とを設けたものも知られている（特許文献４）。
【先行技術文献】
【特許文献】
【０００３】
【特許文献１】特開２０１８−４２６６０号公報
【特許文献２】特開２０１４−１０８３２０号公報
【特許文献３】特開２０１０−２１３８９８号公報
【特許文献４】特開２００８−９３１０３号公報
【発明の概要】
【発明が解決しようとする課題】
【０００４】
化粧料の厚みと化粧用道具の厚みとが異なる場合、化粧料と化粧用道具とを並べて化粧料容器に収容したときに、化粧料の上面の位置と、化粧用道具の上面の位置とが厚み方向にずれてしまう。このことに起因して、保護シートにより化粧料収容部を被覆したときに該保護シートが傾いてしまい、化粧料をきちんと保護できなくなってしまったり、化粧用道具を化粧用道具収容部から取り出し難くなってしまったり、化粧料を化粧用道具につけ難くなってしまったりするといった問題が生じている。保護シートが傾くことにより、化粧料が、蓋体の鏡に付着し易くなったり、容器本体内で移染し易くなったりする。
【０００５】
本発明の課題は、前述した従来技術が有する欠点を解消し得るトレー容器を提供することにある。
【課題を解決するための手段】
【０００６】
本発明は、化粧用道具を収容する道具収容部と化粧料を収容する化粧料収容部とを有する本体部と、前記本体部の上端部に連接され、前記化粧料収容部及び前記道具収容部の何れか一方又は両方の上面を覆う保護シート部とを備えるトレー容器であって、前記道具収容部、前記化粧料収容部及び前記保護シート部が、一体に形成されており、前記道具収容部の深さと前記化粧料収容部の深さとが異なる、トレー容器を提供することにより、上記目的を達成したものである。
【０００７】
また本発明は、トレー容器を収容するトレー収容部を有する容器本体と鏡を有する蓋体とを備える化粧用コンパクト容器であって、前記トレー収容部に上述したトレー容器が収容されている、化粧用コンパクト容器を提供することにより、上記目的を達成したものである。
【発明の効果】
【０００８】
本発明のトレー容器によれば、化粧料と化粧用道具とを収容した際に、保護シート部により化粧料又は化粧用道具を保護することができるとともに、保護シート部の落下や紛失を防止することができ、また化粧料や化粧用道具を容易に使用することができる。
また本発明の化粧用コンパクト容器によれば、化粧料と化粧用道具とを収容した際に、保護シート部により化粧料又は化粧用道具を保護することができるとともに、化粧料や化粧用道具を容易に使用することができる。また本発明の化粧用コンパクト容器によれば、化粧料や化粧用道具を容易に交換することができ、化粧用コンパクト容器を衛生的な状態に維持し易い。
【図面の簡単な説明】
【０００９】
【図１】図１は、本発明の化粧用コンパクト容器である一実施形態である化粧用コンパクト容器から本発明のトレー容器の一実施形態であるトレー容器を取り出した状態を示す斜視図である。
【図２】図２は、図１に示すトレー容器を収容した状態の化粧用コンパクト容器を示す斜視図である。
【図３】図３は、図1に示すトレー容器の厚み方向に沿う断面図である。
【図４】図４（ａ）〜（ｄ）は、本実施形態のトレー容器の製造方法を説明する図である。
【発明を実施するための形態】
【００１０】
以下本発明をその好ましい実施形態に基づき図面を参照しながら説明する。
まず、本発明のトレー容器について説明する。本発明のトレー容器の好ましい実施形態であるトレー容器１は、図１に示すように、道具収容部２と化粧料収容部３とを有する本体部４と、化粧料収容部３の上面３ａ及び道具収容部２の上面２ａの両方を覆う保護シート部５とを有している。
【００１１】
本体部４は、図１に示すように、周壁部４１と底壁部４２と隔壁部４３とを有している。周壁部４１は、平面視して環状の形状を有しており、第１方向Ｘに沿って延在する第１側壁部４１ａ及び第２側壁部４１ｂと、第１方向Ｘに直交する方向である第２方向Ｙに沿って延在する第３側壁部４１ｃ及び第４側壁部４１ｄとを有している。周壁部４１は、扁平な筒状をなし、厚み方向の一端は底壁部４２により閉鎖され、他端は上方に向かって開口している。隔壁部４３は、第１側壁部４１ａの第１方向Ｘにおける中央部及び第２側壁部４１ｂの第１方向Ｘにおける中央部に、それぞれ設けられている。第１側壁部４１ａに設けられた隔壁部４３は、第２側壁部４１ｂに向かって突出しており、第２側壁部４１ｂに設けられた隔壁部４３は、第１側壁部４１ａに向かって突出している。本実施形態では、第１側壁部４１ａに設けられた隔壁部４３と第２側壁部４１ｂに設けられた隔壁部４３とは離間しているが、隔壁部４３は、第１側壁部４１ａから第２側壁部４１ｂに亘って連続して設けられていてもよい。
【００１２】
周壁部４１及び底壁部４２で囲まれた部分は、隔壁部４３によって第１方向Ｘに２分割されており、そのうち一方が道具収容部２であり、他方が化粧料収容部３である。周壁部４１の開口面４ａは水平面と平行であり、道具収容部２の上面２ａと化粧料収容部３の上面３ａとは、水平面と平行な同一平面上に位置している（図３参照）。底壁部４２は、隔壁部４３を境に段差を有している（図３参照）。底壁部４２は、道具収容部２の底壁部２２と化粧料収容部３の底壁部３２とを含んでおり、道具収容部２の底壁部２２と化粧料収容部３の底壁部３２との間に段差を有している。トレー容器１は、道具収容部２の深さＤ２と化粧料収容部３の深さＤ３とが異なっている（図３参照）。
【００１３】
道具収容部２は、図１に示すように、第１側壁部４１ａ、第２側壁部４１ｂ、隔壁部４３、第４側壁部４１ｄ及び道具収容部２における底壁部２２によって囲まれた部分である。道具収容部２は、化粧用道具２０を収容できるようになっている。道具収容部２に収容される化粧用道具２０としては、後述する化粧料３０の種類に応じて適切なものが用いられ、例えば、化粧料３０が、粉末状の固体化粧料である場合には、図１に示すような、ブラシ状の塗布具が好ましく用いられる。
【００１４】
化粧料収容部３は、図１に示すように、第１側壁部４１ａ、第２側壁部４１ｂ、隔壁部４３、第３側壁部４１ｃ及び化粧料収容部３における底壁部３２によって囲まれた部分である。化粧料収容部３は、ファンデーション、チーク、アイシャドウ、コンシーラー等の化粧料３０を収容することができるようになっている。第３側壁部４１ｃの上端部には、後述する保護シート部５が連接されている。また第３側壁部４１ｃには、化粧料収容部３の外面側が窪んでおり化粧料収容部３の内面側に突出した窪み部６１が設けられている。窪み部６１は、図３に示すように、第３側壁部４１ｃが化粧料収容部３の内側に向かって窪んで形成されている。
【００１５】
保護シート部５は、本体部４の上端部に連接されている。具体的には、図３に示すように、保護シート部５は、本体部４の上端部の外面に連接されている。本体部４の外面とは、本体部４における道具収容部２又は化粧料収容部３側の面を内面としたときの、該内面とは反対側の面である。ここで、本体部４の上端部に連接されている態様としては、本体部４と保護シート部５とが、本体部４の上面と保護シート部５の収容部対向面５ａとが面一となるように連なっていることが好ましい。保護シート部５の収容部対向面５ａとは、保護シート部５により道具収容部２又は化粧料収容部３の上面２ａ，３ａを覆ったときに、道具収容部２又は化粧料収容部３の上面２ａ，３ａ側に向けられる面である。保護シート部５を、収容部対向面５ａが本体部４の上面から離れる方向に後述するヒンジ部５２を基点として回動させ、本体部４の上面と保護シート部５の収容部対向面５ａとを平行としたときに、本体部４の上面と保護シート部５の収容部対向面５ａとが面一となることが好ましい。
【００１６】
保護シート部５は、化粧料収容部３の上面３ａ及び道具収容部２の上面２ａの両方を覆うシート本体部５１とシート本体部５１と本体部４との間に位置するヒンジ部５２とを有している。保護シート部５は、ヒンジ部５２を介して化粧料収容部３側の第３側壁部４１ｃの上端部に連接されている。ヒンジ部５２は、本体部４と保護シート部５との連接部分に形成されており、ヒンジ部５２を基点として保護シート部５を折り曲げることにより、シート本体部５１が化粧料収容部３の上面を覆うようになっている。ヒンジ部５２は、ヒンジ部５２を基点として保護シート部５を回動させ易くする観点から、シート本体部５１よりも厚みが薄いことが好ましい。保護シート部５と本体部４との間には、上述のとおり、ヒンジ部５２が形成されているが、保護シート部５と本体部４とは連続する一体をなしており、相互間につなぎ目は存在しない。尚、ヒンジ部５２は、保護シート部５と本体部４との連接部にハーフカット、ミシン目加工、凹凸加工等を施すことにより設けられていてもよい。本体部４の上面と保護シート部５の収容部対向面５ａとが面一であると言えるためには、本体部４の上面と保護シート部５のシート本体部５１における収容部対向面５ａとが面一であればよく、ヒンジ部５２に、収容部対向面５ａから突出する凸部や収容部対向面５ａよりも窪んだ凹部を有していてもよい。
本実施形態では、シート本体部５１の第１方向Ｘ及び第２方向Ｙの長さはそれぞれ、本体部４の第１方向Ｘ及び第２方向Ｙの長さと略同一となっており、シート本体部５１は化粧料収容部３の上面３ａ及び道具収容部２の上面２ａの両方を覆うようになっている。
【００１７】
トレー容器１では、道具収容部２、化粧料収容部３及び保護シート部５が、一体に形成されている。具体的には、本実施形態のトレー容器１は、図１に示すように、一枚のシートに凹凸加工を施し変形させることによって、道具収容部２と化粧料収容部３と保護シート部５とが連続しており、相互につなぎ目のないトレー容器とされている。
斯かる構成により、本実施形態のトレー容器１によれば、化粧料収容部３の上面３ａ及び／又は道具収容部２の上面２ａを覆うことができ、化粧料収容部３に配された化粧料３０及び／又は道具収容部２に配された化粧道具２０を保護することが可能となるとともに、保護シート部５が本体部４の上面から外れ難く、保護シート部５の落下や紛失を防止できるようになっている。
また、保護シート部５は、本体部４の上端部に連接されているため、トレー容器１は、大きく張り出したヒンジ部を有しない。したがって、トレー容器１の大きさをコンパクトにすることができる。また、ヒンジ部５２に化粧料３０等の粉が溜まり難く、トレー容器１内が汚れることを防止することが可能となる。更に、トレー容器１を後述するコンパクト容器１０に収容したときであっても、保護シート部５を、収容部対向面５ａが本体部４の上面から離れる方向に大きく回動させることができる。したがって、化粧道具２０を取り出したり、化粧料３０を使用したりするときに、保護シート部５を、使用者の手や指の邪魔にならない位置まで回動させ易いため、化粧道具２０を取り出したり、化粧料３０を使用したりし易い。
このように、本実施形態のトレー容器１によれば、化粧料３０や化粧道具２０を容易に使用することができる。
【００１８】
また、本実施形態のトレー容器１は、上述のように底壁部４２が段差を有しており、道具収容部２の深さＤ２と化粧料収容部３の深さＤ３とが異なっている（図３参照）。道具収容部２の深さＤ２と化粧料収容部３の深さＤ３とが異なっていることにより、道具収容部２に配される化粧料３０と化粧料収容部３に配される道具２０に厚み差があっても、化粧料３０の上面の化粧用道具２０の上面の位置との間の段差を無くすか、少なくとも低減できる。したがって、本実施形態のトレー容器１によれば、化粧用道具２０の上面と化粧料３０の上面とを近くに位置させ易いため、化粧用道具２０が取り出し易く、また化粧料３０も使用し易いので、化粧料３０や化粧道具２０を容易に使用することができる。道具収容部２の深さＤ２とは、道具収容部２の上面２ａから道具収容部２の底壁部２２の上面２２ａまでの長さを意味する。化粧料収容部３の深さＤ３とは、化粧料収容部３の上面３ａから化粧料収容部３の底壁部３２の上面３２ａまでの長さを意味する。道具収容部２の深さＤ２及び化粧料収容部３の深さＤ３は特に制限されるものではなく、道具収容部２に収容される化粧用道具２０の厚み及び化粧料収容部３に収容される化粧料３０の厚みに応じて適宜選択することができる。道具収容部２の上面２ａと化粧料収容部３の上面３ａとは、高さ位置が近い位置にあることが好ましく、図３に示すように、同じ高さ位置にあることがより好ましい。
【００１９】
化粧料収容部３に収容される化粧料３０は、樹脂皿、金皿等の薄皿容器に収容された状態の化粧料であっても良いし、容器に収容されていない化粧料組成物であっても良い。本発明におけるトレー容器１は、化粧料組成物を直接収容して、保護シート付の簡易的なコンパクト容器としてそのまま使用することもできる。
【００２０】
また、本実施形態のトレー容器１は、道具収容部２の深さＤ２と化粧料収容部３の深さＤ３とが異なっていることに加え、道具収容部２の上面２ａと化粧料収容部３の上面３ａとが同一平面上に位置しているため、道具収容部２に収容される化粧用道具２０の厚みと化粧料収容部３に収容される化粧料３０の厚みとが異なっている場合であっても、化粧用道具２０及び化粧料３０をそれぞれ、道具収容部２及び化粧料収容部３に収容したときに、化粧用道具２０の上面の位置と化粧料３０の上面の位置とを一致させることができる。したがって、保護シート部５によって化粧料収容部３の上面３ａを覆ったときに、保護シート部５が、化粧用道具２０に邪魔されることなく、化粧料収容部３の上面３ａに対して平行に配され易くなるため、保護シート部５によって化粧料をきちんと保護することが可能となる（図２参照）。また保護シート部５によって道具収容部２の上面２ａを覆ったときに、保護シート部５が道具収容部２の上面２ａに対して平行に配され易くなる。そのため、保護シート部５によって、道具収容部２に収容された化粧用道具２０が該道具収容部２から脱落することや、道具収容部２に収容された化粧用道具２０が鏡に触れ、該鏡が汚れることを防止することが可能となる（図２参照）。また、化粧用道具２０の上面の位置と化粧料３０の上面の位置とを一致させることができるため、化粧用道具２０が更に取り出し易く、また化粧料３０も更に使用し易い。
【００２１】
トレー容器１は、図３に示すように、道具収容部２の底壁部２２の下面２２ｂの位置と化粧料収容部３の底壁部３２の下面３２ｂの位置との間に高低差を有する。つまり、トレー容器１を載置面に載置したときに、道具収容部２の底壁部２２及び化粧料収容部３の底壁部３２の何れか一方のみが載置面と当接し、他方は載置面と離間するようになっている。本実施形態では、化粧料収容部３の底壁部３２の下面３２ｂの位置が、道具収容部２の底壁部２２の下面２２ｂの位置よりも上方に位置している。つまり、トレー容器１を載置面に載置したときに、道具収容部２の底壁部２２が載置面と当接し、化粧料収容部３の底壁部３２は載置面と離間するようになっている。
【００２２】
トレー容器１では、道具収容部２、化粧料収容部３及び保護シート部５は、一枚の合成樹脂シートから形成されていることが好ましい。このような構成により、道具収容部２、化粧料収容部３及び保護シート部５は、一度にかつ一体に成形することが可能となる。また道具収容部２、化粧料収容部３及び保護シート部５は、一枚の合成樹脂シートから形成されていることにより、トレー容器１の耐久性や耐油性を向上させることができる。合成樹脂シートとしては、ポリエチレンテレフタレート、ポリプロピレン、ポリカーボネート、ポリスチレン等の樹脂からなるものや、これらの樹脂などで複数層に形成したもの等を用いることができる。圧空成形又は真空成形によって合成樹脂シートに凹凸加工を施す場合は、合成樹脂シートは熱可塑性樹脂を全体又は一層に含んでいることが好ましい。合成樹脂シートは不透明のものであっても良いが、透明であることが好ましい。道具収容部２、化粧料収容部３及び保護シート部５は、発泡したシート（以下、発泡シートともいう）を圧空又は真空成形して作成することもできる。
【００２３】
合成樹脂シートの厚みは、ヒンジ切れ防止あるいは使用時の変形防止の観点から、好ましくは０．１５ｍｍ以上、より好ましくは０．２ｍｍ以上であり、折り曲げやすさとコンパクト容器の厚さ低減の観点から、好ましくは０．７ｍｍ以下、より好ましくは０．６ｍｍ以下であり、具体的には、好ましくは０．１５ｍｍ以上０．７ｍｍ以下、より好ましくは０．２ｍｍ以上０．６ｍｍ以下である。
【００２４】
また、道具収容部２、化粧料収容部３及び保護シート部５として発泡シートを用いる場合は、ヒンジ切れ防止あるいは使用時の変形防止の観点から、その厚みは、好ましくは１．０ｍｍ以上、より好ましくは１．５ｍｍ以上であり、折り曲げやすさとコンパクト容器に収納する場合の厚さ低減の観点から、好ましくは３．５ｍｍ以下、より好ましくは３．０ｍｍ以下であり、具体的には、好ましくは１．０ｍｍ以上３．５ｍｍ以下であり、より好ましくは１．５ｍｍ以上３．０ｍｍ以下である。発泡シートの材質としては、ポリエチレン、ポリエチレンテレフタレート、ポリスチレン、ポリプロピレン等の熱可塑性樹脂が挙げられる。
【００２５】
トレー容器１を製造するために一枚のシートに施す凹凸加工は、シートが凹凸変形した状態を維持できるものであれば特に制限されず、そのような加工方法としては、プレス成型、圧空成形、真空成形、射出成形等が挙げられる。これらの中でも、道具収容部２の上面２ａ及び化粧料収容部３の上面３ａを同一平面上に形成し易い観点から、圧空成形、真空成形が好ましい。また、成形性がよい、製造コストが低い、軽量化し易い、生産性がよいといった観点からも、圧空成形、真空成形が好ましい。
【００２６】
トレー容器１の製造方法について、真空成形により製造する場合を例に、図４を参照しながら説明する。まず、熱可塑性樹脂を含む合成樹脂シート７をクランプ枠等の把持手段（不図示）によって把持し、合成樹脂シート７をヒーター等の加熱手段８で加熱する（図４（ａ）参照）。そして、型９を上昇させ、型９の上面に加熱された合成樹脂シート７を配置する（図４（ｂ）参照）。次に、型９の下側に向かって真空吸引し、合成樹脂シート７を型９に密着させ、合成樹脂シート７に凹凸加工を施す（図４（ｃ）参照）。そして、合成樹脂シート７を冷却し、離型させる（図４（ｄ）参照）。その後、不要な箇所を排除する等の加工を凹凸変形した合成樹脂シート７に施すことで、トレー容器１が製造される。
【００２７】
本実施形態のトレー容器１は、単独で使用してもよいし、トレー容器１を収容することができる容器に収容して使用してもよい。ここで、トレー容器１を使用するとは、トレー容器１を用いて化粧すること、又はトレー容器１を携帯することを意味する。トレー容器１を収容することができる容器としては、トレー容器１を収容することができるものであれば、特に制限なく用いることができるが、トレー容器１を収容する容器本体と鏡を有する蓋体とを備えた化粧用コンパクト容器であることが好ましい。そのような化粧用コンパクト容器としては、例えば図１に示すようなものが挙げられる。
【００２８】
図１には、トレー容器１と組み合わせて用いることができる化粧用コンパクト容器１０が示されている。化粧用コンパクト容器１０は、トレー収容部１１を有する容器本体１４と、鏡１３を有する蓋体１２とを備えている。
容器本体１４は、容器底壁部１５と容器側壁部１６とを有している。容器側壁部１６は平面視して環状形状を有しており、第１方向Ｘに沿って延在する第１容器側壁部１６ａ及び第２容器側壁部１６ｂと、第１方向Ｘに直交する方向である第２方向Ｙに沿って延在する第３容器側壁部１６ｃ及び第４容器側壁部１６ｄとからなる。第１容器側壁部１６ｂ及び第２容器側壁部１６ａは、化粧用コンパクト容器１０を正面Ｍ側から視て前後に位置しており、第３容器側壁部１６ｃ及び第４容器側壁部１６ｄは、同正面Ｍ側から視て左右両側に位置している。容器側壁部１６の高さ方向の一端は容器底壁部１５により閉鎖されており、他端は開口している。容器底壁部１５の上面はトレー収容部１１の底面を形成しており、容器側壁部１６の内側面はトレー収容部１１の内周面を形成している。
【００２９】
トレー収容部１１は、図１に示すように、容器側壁部１６及び容器底壁部１５によって囲まれた部分である。トレー収容部１１は、平面視形状がトレー容器１の本体部４と略一致しているが、本体部４に比べて第１方向Ｘの長さ及び第２方向Ｙの長さが多少長くなっており、トレー収容部１１にトレー容器１が収容できるようになっている。
【００３０】
また化粧用コンパクト容器１０には、収容されるトレー容器１の道具収容部２及び化粧料収容部３の底壁部２２，３２の下面２２ｂ，３２ｂのうち高さが高い方と、トレー収容部１１の底面との間に隙間を維持する手段が設けられていることが好ましい。該手段としては、トレー容器１をトレー収容部１１に収容したときに、道具収容部２及び化粧料収容部３の底壁部２２，３２の下面２２ｂ，３２ｂのうち高さが高い方がトレー収容部１１の底面から離間した状態を維持することができるものであれば、特に制限なく用いることができる。該手段は、トレー容器１及びトレー収容部１１の何れか一方に設けられていてもよいし、トレー容器１及びトレー収容部１１の両方に設けられていてもよい。例えば、該手段がトレー容器１に設けられている場合、該手段は、トレー収容部１１の底面から離間した底壁部４２の下面からトレー収容部１１の底面に向かって延びる柱状の部材であってもよい。また、該手段がトレー収容部１１に設けられている場合、該手段は、トレー収容部１１の底面から突出し、トレー容器１の底壁部４２の下面を支持するものであってもよいし、トレー収容部１１の内周面から突出し、トレー容器１の底壁部４２の下面を支持するものであってもよい。また該手段は、接着剤であってもよい。該手段が接着剤である場合、該手段はトレー容器１及びトレー収容部１１の両方に設けられているものとする。該接着剤は、トレー容器１の側壁部４１の外面とトレー収容部１１の内周面と接着するものであってもよいし、トレー収容部１１の底面と、該底面と離間していない方の、トレー容器１の底壁部４２とを接着するものであってもよい。
本実施形態では、該手段は、化粧料収容部３の第３側壁部４１ｃに設けられた窪み部６１、及びトレー収容部１１の第３容器側壁部１６ｃに設けられた突起部６２である。
トレー容器１をトレー収容部１１に収容したときに、トレー収容部１１の突起部６２をトレー容器１の窪み部６１に差し込み、窪み部６１と突起部６２とを係合させることで、化粧料収容部３の底壁部３２の下面３２ｂがトレー収容部１１の底面から離間した状態が維持され、化粧料収容部３の底壁部３２の下面３２ｂとトレー収容部１１の底面との間に隙間が形成される。これにより、例えばトレー容器１を収容した化粧用コンパクト容器１０が落下して、化粧用コンパクト容器１０に衝撃が加わったとしても、化粧料収容部３の底壁部３２とトレー収容部１１の底面と間の隙間がクッションの役割を果たすため、化粧料収容部３に衝撃が伝わり難くすることができる。また、本実施形態では、突起部６１及び窪み部６２はそれぞれ、トレー収容部１１の容器底壁部１５及びトレー容器１の底壁部４２には形成されておらず、トレー収容部１１の容器側壁部１６及びトレー容器１の周壁部４１に形成されているため、化粧料収容部３に衝撃がより伝わり難くなっている。
【００３１】
蓋体１２は、連結部１７において、容器本体１４に対して回動自在に連結され、回動させることにより、容器本体１４の上面を開閉自在である。連結部１７は、容器本体１４の第１容器側壁部１６ａの一部を切り欠いた部分に、蓋体１２から垂下させた部分を入れ、該垂下させた部分の左右をピンで容器本体１４の第１容器側壁部１６ａと連結させることで形成されている。連結部１７の構造は特に制限なく、例えば、蓋体１２を切り欠いた部分と、第１容器側壁部１６ａから立ち上げた部分とを連結させてもよく、またピンを使わずに蓋体１２又は第１容器側壁部１６ａに嵌合する部分を形成してもよく、別部材から連結部を形成してもよい。化粧用コンパクト容器１０の正面Ｍ側とは、化粧用コンパクト容器１０を用いて化粧をする際に、使用者の胴体側に配される側であり、容器本体１４と蓋体１２とを連結する連結部１７側から遠い側である。
【００３２】
本実施形態における蓋体１２には、閉蓋時に容器本体１４側を向く内面に鏡１３が設けられている。また、容器本体１４の、連結部１７側とは反対側に位置する正面部には、蓋体１２に設けられた係着爪７１が係止される被係着部７２ａを備える係着切欠き部７２が形成されており、係着切欠き部７２には、押圧により係着爪７１と被係着部７２ａとの係止状態を解除する係合解除ボタン７２ｂが設けられている。
【００３３】
本実施形態のトレー容器１によれば、化粧用コンパクト容器１０のトレー収容部１１にトレー容器１が収容されたときに、トレー容器１の道具収容部２の底壁部２２が化粧用コンパクト容器１０のトレー収容部１１の底面に当接し、化粧料収容部３の底壁部３２はトレー収容部１１の底面と離間する。即ち、化粧料収容部３の底壁部３２とトレー収容部１１の底面との間には隙間が形成される。これにより、例えばトレー容器１を収容した化粧用コンパクト容器１０が落下して、化粧用コンパクト容器１０に衝撃が加わったとしても、化粧料収容部３の底壁部３２とトレー収容部１１の底面と間の隙間がクッションの役割を果たすため、化粧料収容部３に衝撃が伝わり難くすることができる。化粧料収容部３に衝撃が伝わり難いことにより、化粧料収容部３に収容された化粧料３０への衝撃を低減させ易くなるため、特に化粧料３０が粉末状の固体化粧料である場合は、化粧料３０が割れてしまったり、粉落ちが生じたりすることを防止できる。
【００３４】
また、本実施形態のトレー容器１によれば、窪み部６１に、化粧用コンパクト容器１０の突起部６２を差し込み、窪み部６１と突起部６２とを係合させることで、トレー容器１の道具収容部２の底壁部２２が化粧用コンパクト容器１０のトレー収容部１１の底面に当接し、化粧料収容部３の底壁部３２はトレー収容部１１の底面と離間した状態を維持できるようになっている。これにより、例えばトレー容器１を収容した化粧用コンパクト容器１０を持ち運んだとしても、化粧料収容部３の底壁部３２とトレー収容部１１の底面との間に形成された隙間を維持することができる。
【００３５】
また、本実施形態のトレー容器１及び化粧用コンパクト容器１０によれば、例えばトレー容器１に収容されている化粧料３０を使い切ったとき等に、トレー容器１ごと取り換えることができるため、化粧料３０がこぼれたりすることを防ぎ易く、化粧用コンパクト容器１０を衛生的な状態に維持し易い。
【００３６】
以上、本発明をその好ましい実施形態を示して説明したが、本発明は、上記の実施形態に制限されることなく種々変更可能である。
例えば、本実施形態のトレー容器１では、化粧料収容部３の底壁部３２の下面３２ｂの位置が、道具収容部２の底壁部２２の下面２２ｂの位置よりも上方に位置しているが、逆であってもよい。即ち、道具収容部２の底壁部２２の下面２２ｂの位置が、化粧料収容部３の底壁部３２の下面３２ｂの位置よりも上方に位置していてもよい。この場合、道具収容部２の下側に隙間が形成されるため、例えばトレー容器１を収容した化粧用コンパクト容器１０が落下し、化粧用コンパクト容器１０に衝撃が加わったとしても、該隙間がクッションの役割を果たすため、道具収容部２に衝撃が伝わり難くすることができる。
道具収容部２の底壁部２２と下面２２ｂと化粧料収容部３の底壁部３２の下面３２ｂのうち下方に位置する方には、化粧用コンパクト容器１０のトレー収容部１１の容器底壁部１５に、脱着自在に固定するための粘着部を設けることも好ましい。
【００３７】
また本実施形態では、トレー容器１の窪み部６１は、第３側壁部４１ｃに設けられているが、窪み部６１は、第１〜第４側壁部４１ａ〜４１ｄの何れに設けられていてもよいし、複数箇所に設けられていてもよい。
【００３８】
また本実施形態では、化粧用コンパクト容器１０の突起部６２は、第３容器側壁部１６ｃに設けられているが、突起部６２は、第１〜第４容器側壁部１６ａ〜１６ｄの何れに設けられていてもよいし、複数箇所に設けられていてもよい。
【００３９】
また本実施形態では、トレー容器１が窪み部６１を有し、化粧用コンパクト容器１０が突起部６２を有しているが、逆であってもよい。つまり、トレー容器１が突起部を有し、化粧用コンパクト容器１０が窪み部６を有していてもよい。
【００４０】
また本実施形態では、保護シート部５は、第３側壁部４１ｃの上端部に連接されているが、保護シート部５は、第４側壁部４１ｄの上端部に連接されていてもよい。
【００４１】
また本実施形態では、保護シート部５は、化粧料収容部３の上面３ａ及び道具収容部２の上面２ａの両方を覆っているが、保護シート部５は、化粧料収容部３の上面３ａ及び道具収容部２の上面２ａの何れか一方のみを覆うものであってもよい。
【符号の説明】
【００４２】
１  トレー容器
２  道具収容部
２２  道具収容部の底壁部
２２ｂ  道具収容部の底壁部の下面
２０  化粧用道具
３  化粧料収容部
３２  道具収容部の底壁部
３２ｂ  化粧料収容部の底壁部の下面
３０  化粧料
４  本体部
５  保護シート部
６１  窪み部
１０  化粧用コンパクト容器
１１  収容部
１４  容器本体
１２  蓋体
１３  鏡
６２  突起部
【図１】
2020103635.tif 000003
【図２】
2020103635.tif 000004
【図３】
2020103635.tif 000005
【図４】
2020103635.tif 000006